(57)【要約】【課題】受信した各放送電波の全体の電力および一部の電力を演算し、さらにこれに基づいて受信放送電波がアナログ放送電波であるかあるいはデジタル放送電波であるかを判断する場合に比べて、より迅速にその判断をすること。【解決手段】本発明の放送電波識別方法では、中間周波数信号を生成する生成手段１３，１４に対して、デジタル放送電波とアナログ放送電波とが混在する周波数帯中のサーチ周波数を設定するステップＳＴ１と、この設定に基づいて生成される受信電界強度が所定の第一閾値Ｔ１以上である場合、そのサーチ周波数からずれたオフセット周波数を生成手段１３，１４に対して設定するステップＳＴ４，ＳＴ６と、それぞれの設定での受信電界強度の電界強度差が所定の第二閾値Ｔ２以上である場合にはアナログ放送電波であると判断するステップＳＴ５，ＳＴ７と、を有するものである。【選択図】図３
2008227901.tif 000002
【特許請求の範囲】
【請求項１】
受信電波に基づく信号から、設定された周波数成分の中間周波数信号を生成する生成手段に対して、デジタル放送電波とアナログ放送電波とが混在する周波数帯中のサーチ周波数を設定するステップと、
上記サーチ周波数の設定に基づいて生成される上記中間周波数信号の受信電界強度が所定の第一閾値以上である場合、その時の上記サーチ周波数から所定の周波数ずれたオフセット周波数を、上記生成手段に対して設定するステップと、
上記サーチ周波数の設定に基づいて生成される上記中間周波数信号の受信電界強度と上記オフセット周波数の設定に基づいて生成される上記中間周波数信号の受信電界強度との電界強度差が、所定の第二閾値以上である場合には、アナログ放送電波であると判断し、あるいは、その電界強度差が上記第二閾値以内である場合には、デジタル放送電波であると判断するステップと、
を有することを特徴とする放送電波識別方法。
【請求項２】
受信電波に基づく信号から、設定された周波数成分の中間周波数信号を生成する生成手段と、
上記中間周波数信号からアナログ放送信号を復調する復調手段と、
上記生成手段に対して、デジタル放送電波とアナログ放送電波とが混在する周波数帯を所定のサーチ間隔でサーチするための複数のサーチ周波数を順番に設定するサーチ周波数設定手段と、
上記サーチ周波数の設定に基づいて生成される上記中間周波数信号の受信電界強度が所定の第一閾値以上である場合、その時の上記サーチ周波数から、上記サーチ間隔より小さい所定の周波数ずれたオフセット周波数を、上記生成手段に対して設定するオフセット周波数設定手段と、
上記サーチ周波数の設定に基づいて生成される上記中間周波数信号の受信電界強度と上記オフセット周波数の設定に基づいて生成される上記中間周波数信号の受信電界強度の電界強度差が、所定の第二閾値以上である場合には、上記サーチ周波数設定手段によるサーチを終了させて上記復調手段により復調をさせ、それ以外の場合には上記サーチ周波数設定手段によるサーチを継続させるサーチ制御手段と、
を有することを特徴とするアナログ放送受信装置。
【請求項３】
前記復調手段は、ＡＭラジオ放送電波による中間周波数信号を復調するものであることを特徴とする請求項２記載のアナログ放送受信装置。
【請求項４】
前記サーチ周波数が設定されたときに前記生成手段が生成する前記中間周波数信号の中間周波数公差が所定値以内であるか否かを判断する中間周波数判断手段を有し、
前記オフセット周波数設定手段は、上記中間周波数公差が上記所定値以内である場合に、前記生成手段に対して前記オフセット周波数を設定すること、
を特徴とする請求項２または３記載のアナログ放送受信装置。
【請求項５】
前記オフセット周波数設定手段は、前記サーチ周波数より高周波側にずれたオフセット周波数と、低周波側にずれたオフセット周波数とを設定し、
前記サーチ制御手段は、それら２つのオフセット周波数により得られる前記中間周波数信号の受信電界強度に基づく２つの前記電界強度差がともに前記所定の第二閾値以上である場合に、前記サーチ周波数設定手段によるサーチを終了させて前記復調手段により復調をさせ、それ以外の場合には前記サーチ周波数設定手段によるサーチを継続させること、
を特徴とする請求項２から４の中のいずれか１項記載のアナログ放送受信装置。
【請求項６】
受信電波に基づく信号から、設定された周波数成分の中間周波数信号を生成する他の生成手段を有し、
前記オフセット周波数設定手段は、前記オフセット周波数を前記生成手段の代わりに上記他の生成手段に設定し、
前記サーチ制御手段は、前記生成手段が前記サーチ制御手段の設定に基づいて生成する前記中間周波数信号の受信電界強度と、上記他の生成手段が前記オフセット制御手段の設定に基づいて生成する前記中間周波数信号の受信電界強度との強度差を前記電界強度差として用いること、
を特徴とする請求項２から５の中のいずれか１項記載のアナログ放送受信装置。
【請求項７】
受信電波に基づく信号から、設定された周波数成分の中間周波数信号を生成する生成手段と、
上記中間周波数信号からデジタル放送信号を復調する復調手段と、
上記生成手段に対して、デジタル放送電波とアナログ放送電波とが混在する周波数帯を所定のサーチ間隔でサーチするための複数のサーチ周波数を順番に設定するサーチ周波数設定手段と、
上記サーチ周波数の設定に基づいて生成される上記中間周波数信号の受信電界強度が所定の第一閾値以上である場合、その時の上記サーチ周波数から、上記サーチ間隔より小さい所定の周波数ずれたオフセット周波数を、上記生成手段に対して設定するオフセット周波数設定手段と、
上記サーチ周波数の設定に基づいて生成される上記中間周波数信号の受信電界強度と上記オフセット周波数の設定に基づいて生成される上記中間周波数信号の受信電界強度の電界強度差が、所定の第二閾値以内である場合には、上記サーチ周波数設定手段によるサーチを終了させて上記復調手段により復調をさせ、それ以外の場合には上記サーチ周波数設定手段によるサーチを継続させるサーチ制御手段と、
を有することを特徴とするデジタル放送受信装置。
【発明の詳細な説明】
【技術分野】
【０００１】
本発明は、放送電波識別方法、アナログ放送受信装置およびデジタル放送受信装置に関する。
【背景技術】
【０００２】
特許文献１には、ＡＭ放送範囲をデジタル送信に使用すること、デジタル送信のためのＤＲＭ（Ｄｉｇｉｔａｌ  Ｒａｄｉｏ  Ｍｏｎｄｉａｌｅ）方式の記述がある。
【０００３】
特許文献２は、チャンネル設定のために、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式の放送電波とＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の放送電波とを、受信した放送電波の周波数別電力に基づいて判定する放送信号識別装置を開示する。特に、一定帯域内の電力ピークと全電力とを比較し、それらの電力差が所定値以上であるか否かに基づいて、アナログテレビジョン放送電波であるＮＴＳＣ方式の放送電波と、デジタルテレビジョン放送電波であるＯＦＤＭ方式の放送電波とを識別している。
【０００４】
【特許文献１】特表２００２−５４３６６５号公報（発明の詳細な説明）
【特許文献２】特開２００３−２３４９７５号公報（図２、要約、特許請求の範囲、発明の詳細な説明など）
【発明の開示】
【発明が解決しようとする課題】
【０００５】
しかしながら、特許文献２の放送信号識別装置では、受信した各放送電波に基づいて、そのすべての周波数帯の電力を演算したり、その中の所定の周波数帯の電力を演算したりする必要があるため、各放送電波の受信処理における受信開始から判断完了までに時間がかかってしまう。
【０００６】
本発明は、受信した各放送電波の全体の電力および一部の電力を演算し、さらにこれに基づいて受信放送電波がアナログ放送電波であるかあるいはデジタル放送電波であるかを判断する場合に比べて、より迅速にその判断をすることができる放送電波識別方法、アナログ放送受信装置およびデジタル放送受信装置を提供することを目的とする。
【課題を解決するための手段】
【０００７】
本発明に係る放送電波識別方法は、受信電波に基づく信号から、設定された周波数成分の中間周波数信号を生成する生成手段に対して、デジタル放送電波とアナログ放送電波とが混在する周波数帯中のサーチ周波数を設定するステップと、サーチ周波数の設定に基づいて生成される中間周波数信号の受信電界強度が所定の第一閾値以上である場合、その時のサーチ周波数から所定の周波数ずれたオフセット周波数を、生成手段に対して設定するステップと、サーチ周波数の設定に基づいて生成される中間周波数信号の受信電界強度とオフセット周波数の設定に基づいて生成される中間周波数信号の受信電界強度との電界強度差が、所定の第二閾値以上である場合には、アナログ放送電波であると判断し、あるいは、その電界強度差が第二閾値以内である場合には、デジタル放送電波であると判断するステップと、を有するものである。
【０００８】
本発明に係るアナログ放送受信装置は、受信電波に基づく信号から、設定された周波数成分の中間周波数信号を生成する生成手段と、中間周波数信号からアナログ放送信号を復調する復調手段と、生成手段に対して、デジタル放送電波とアナログ放送電波とが混在する周波数帯を所定のサーチ間隔でサーチするための複数のサーチ周波数を順番に設定するサーチ周波数設定手段と、サーチ周波数の設定に基づいて生成される中間周波数信号の受信電界強度が所定の第一閾値以上である場合、その時のサーチ周波数から、サーチ間隔より小さい所定の周波数ずれたオフセット周波数を、生成手段に対して設定するオフセット周波数設定手段と、サーチ周波数の設定に基づいて生成される中間周波数信号の受信電界強度とオフセット周波数の設定に基づいて生成される中間周波数信号の受信電界強度の電界強度差が、所定の第二閾値以上である場合には、サーチ周波数設定手段によるサーチを終了させて復調手段により復調をさせ、それ以外の場合にはサーチ周波数設定手段によるサーチを継続させるサーチ制御手段と、を有するものである。
【０００９】
本発明に係るアナログ放送受信装置は、上述した発明の構成に加えて以下の特徴を有するものである。すなわち、復調手段は、ＡＭラジオ放送電波による中間周波数信号を復調する。
【００１０】
本発明に係るアナログ放送受信装置は、上述した発明の各構成に加えて以下の特徴を有するものである。すなわち、アナログ放送受信装置は、さらに、サーチ周波数が設定されたときに生成手段が生成する中間周波数信号の中間周波数公差が所定値以内であるか否かを判断する中間周波数判断手段を有する。そして、オフセット周波数設定手段は、中間周波数公差が所定値以内である場合に、生成手段に対してオフセット周波数を設定する。
【００１１】
本発明に係るアナログ放送受信装置は、上述した発明の各構成に加えて以下の特徴を有するものである。すなわち、オフセット周波数設定手段は、サーチ周波数より高周波側にずれたオフセット周波数と、低周波側にずれたオフセット周波数とを設定する。また、サーチ制御手段は、それら２つのオフセット周波数により得られる中間周波数信号の受信電界強度に基づく２つの電界強度差がともに所定の第二閾値以上である場合に、サーチ周波数設定手段によるサーチを終了させて復調手段により復調をさせ、それ以外の場合にはサーチ周波数設定手段によるサーチを継続させる。
【００１２】
本発明に係るアナログ放送受信装置は、上述した発明の各構成に加えて以下の特徴を有するものである。すなわち、アナログ放送受信装置は、さらに、受信電波に基づく信号から、設定された周波数成分の中間周波数信号を生成する他の生成手段を有する。そして、オフセット周波数設定手段は、オフセット周波数を生成手段の替わりに他の生成手段に設定する。また、サーチ制御手段は、生成手段がサーチ制御手段の設定に基づいて生成する中間周波数信号の受信電界強度と、他の生成手段がオフセット制御手段の設定に基づいて生成する中間周波数信号の受信電界強度との強度差を電界強度差として用いる。
【００１３】
本発明に係るデジタル放送受信装置は、受信電波に基づく信号から、設定された周波数成分の中間周波数信号を生成する生成手段と、中間周波数信号からデジタル放送信号を復調する復調手段と、生成手段に対して、デジタル放送電波とアナログ放送電波とが混在する周波数帯を所定のサーチ間隔でサーチするための複数のサーチ周波数を順番に設定するサーチ周波数設定手段と、サーチ周波数の設定に基づいて生成される中間周波数信号の受信電界強度が所定の第一閾値以上である場合、その時のサーチ周波数から、サーチ間隔より小さい所定の周波数ずれたオフセット周波数を、生成手段に対して設定するオフセット周波数設定手段と、サーチ周波数の設定に基づいて生成される中間周波数信号の受信電界強度とオフセット周波数の設定に基づいて生成される中間周波数信号の受信電界強度の電界強度差が、所定の第二閾値以内である場合には、サーチ周波数設定手段によるサーチを終了させて復調手段により復調をさせ、それ以外の場合にはサーチ周波数設定手段によるサーチを継続させるサーチ制御手段と、を有するものである。
【発明の効果】
【００１４】
本発明では、受信した各放送電波の全体の電力および一部の電力を演算し、さらにこれに基づいて受信放送電波がアナログ放送電波であるかあるいはデジタル放送電波であるかを判断する場合に比べて、より迅速にその判断をすることができる。
【発明を実施するための最良の形態】
【００１５】
以下、本発明の実施の形態に係る放送電波識別方法、アナログ放送受信装置およびデジタル放送受信装置を、図面に基づいて説明する。アナログ放送受信装置は、実施の形態１においてアナログラジオ放送受信装置を例に説明する。デジタル放送受信装置は、実施の形態２においてデジタルラジオ放送受信装置を例に説明する。放送電波識別方法は、これらの放送受信装置の動作の一部として説明する。
【００１６】
実施の形態１．
図１は、本発明の実施の形態１に係るアナログラジオ放送受信装置１を示すブロック図である。このアナログラジオ放送受信装置１は、アナログラジオ放送電波とデジタルラジオ放送電波とが混在するＡＭ（Ａｍｐｌｉｔｕｄｅ  Ｍｏｄｕｒａｔｉｏｎ）周波数帯中のアナログラジオ放送電波を受信するものである。
【００１７】
図２は、ＡＭ方式で変調されたアナログラジオ放送電波と、たとえばＤＲＭ（Ｄｉｇｉｔａｌ  Ｒａｄｉｏ  Ｍｏｎｄｉａｌｅ）方式のデジタルラジオ放送電波とが混在するＡＭ周波数帯の一例を示す説明図である。図２の横軸は周波数であり、縦軸は電界強度である。図２のＡＭ周波数帯には、複数のＡＭラジオ放送電波と複数のＤＲＭラジオ放送電波とが交互に配置されている。
【００１８】
ＡＭラジオ放送電波の電界強度分布は、そのチューニング周波数、たとえば左側のａ１を中心として、たとえばプラスマイナス９ｋＨｚの帯域範囲に広がる略三角形のスペクトラムの包絡線を有する。なお、スペクトラムが広がる帯域範囲は、プラスマイナス１０ｋＨｚなどであってもよい。また、ＤＲＭラジオ放送電波の電界強度分布は、そのチューニング周波数、たとえば左側のｄ１を中心として、たとえばプラスマイナス９ｋＨｚの帯域範囲に広がる略矩形のスペクトラムの包絡線を有する。
【００１９】
図１のアナログラジオ放送受信装置１は、１つのチューナ部として、アンテナ１１、高周波増幅回路１２、生成手段の一部としての局部発振回路１３、生成手段の一部としてのミキサ回路１４、ＩＦ（中間周波数）増幅回路１５、復調手段としてのＡＭ検波回路１６、低周波増幅回路１７、スピーカ１８を有する。アンテナ１１は、電波を受信する。高周波増幅回路１２は、受信電波による高周波信号を増幅する。局部発振回路１３は、ＶＣＯ（Ｖｏｌｔａｇｅ  Ｃｏｎｔｒｏｌｌｅｄ  Ｏｓｃｉｌｌａｔｏｒ）３１、分周回路３２、発振回路３３、比較回路３４およびＬＰＦ（Ｌｏｗ  Ｐａｓｓ  Ｆｉｌｔｅｒ）３５を有し、発振回路３３が生成する所定の周波数の発振信号を分周回路３２に設定された分周率により分周した局発信号を出力する。ミキサ回路１４は、高周波増幅回路１２により増幅された高周波信号と局発信号とを混合し、高周波信号より低い周波数帯成分を有する中間周波数信号を生成する。ＩＦ増幅回路１５は、このミキサ回路１４により生成された中間周波数信号を増幅する。ＡＭ検波回路１６は、ＩＦ増幅回路１５により増幅された中間周波数信号から、音声帯域信号（アナログラジオ放送信号）を復調する。低周波増幅回路１７は、ＡＭ検波回路１６により復調された音声帯域信号を増幅する。スピーカ１８は、低周波増幅回路１７により増幅された音声帯域信号に基づく音を出力する。この構成により、アナログラジオ放送受信装置１は、分周回路３２に設定された分周率に応じた周波数帯のアナログラジオ放送電波を受信し、その電波のアナログラジオ放送信号による音をスピーカ１８から出力することができる。
【００２０】
また、図１のアナログラジオ放送受信装置１は、この他にも、中間周波数測定回路２１、電界強度検出回路２２、マイクロコンピュータ２３などを有する。
【００２１】
中間周波数測定回路２１は、ミキサ回路１４が生成した中間周波数信号の中間周波数を測定する。中間周波数測定回路２１は、測定した中間周波数の情報をマイクロコンピュータ２３へ出力する。なお、中間周波数測定回路２１は、たとえば、中間周波数信号の所定の帯域（たとえば各放送電波の帯域に相当するプラスマイナス９ｋＨｚ）を、図示外の複数のバンドパスフィルタにより複数の狭帯域（たとえば１ｋＨｚ毎の狭帯域）成分に分離し、その中の最も電界強度が高い狭帯域成分の中央値を、中間周波数信号の測定した中間周波数とすればよい。
【００２２】
電界強度検出回路２２は、ＩＦ増幅回路１５により増幅された中間周波数信号を用いて、その中間周波数成分の電界強度の強さを検出する。電界強度検出回路２２は、検出した電界強度の強さの情報をマイクロコンピュータ２３へ出力する。なお、電界強度検出回路２２は、図示外のバンドパスフィルタにより中間周波数信号から中間周波数成分を抽出し、その抽出した中間周波数成分の電界強度の強さを検出すればよい。
【００２３】
マイクロコンピュータ２３は、図示外のＣＰＵ（Ｃｅｎｔｒａｌ  Ｐｒｏｃｅｓｓｉｎｇ  Ｕｎｉｔ）、メモリ２４などを有する。ＣＰＵは、メモリ２４に記憶される図示外のプログラムを読み込んで実行する。これにより、マイクロコンピュータ２３には、サーチ周波数設定部２６、オフセット周波数設定部２７、サーチ制御部２８などの機能が実現される。また、メモリ２４は、サーチ周波数データ２９、電界強度データ３０を記憶する。
【００２４】
サーチ周波数設定手段および中間周波数判断手段としてのサーチ周波数設定部２６は、アナログラジオ放送受信装置１が受信する周波数帯を所定のサーチ間隔（たとえば９ｋＨｚ間隔や１０ｋＨｚ間隔）でサーチするための複数のサーチ周波数を、分周回路３２に設定する。実際には、サーチ周波数設定部２６は、各サーチ周波数に対応する分周率を分周回路３２に設定する。また、サーチ周波数設定部２６は、中間周波数測定回路２１が測定する中間周波数と、電界強度検出回路２２が検出する中間周波数成分の受信電界強度とに基づいて、設定したサーチ周波数においてラジオ放送電波が検出されたか否かを判断する。さらに、サーチ周波数設定部２６は、ラジオ放送電波を検出したと判断した場合、その時のサーチ周波数の値と受信電界強度の値とをメモリ２４に記憶させる。これにより、メモリ２４には、サーチ周波数設定部２６によりラジオ放送電波が検出されたときのサーチ周波数データ２９と電界強度データ３０とが記憶される。
【００２５】
オフセット周波数設定手段としてのオフセット周波数設定部２７は、メモリ２４に記憶されているサーチ周波数（サーチ周波数データ２９の値）を基準として、サーチ間隔より小さい所定の周波数（たとえば５ｋＨｚ）で高周波側にずれたオフセット周波数と、低周波側にずれたオフセット周波数とを、分周回路３２に設定する。実際には、オフセット周波数設定部２７は、各オフセット周波数に対応する分周率を分周回路３２に設定する。また、オフセット周波数設定部２７は、メモリ２４に記憶されている電界強度データ３０と電界強度検出回路２２が検出する中間周波数成分の受信電界強度を用いて、設定したオフセット周波数での電界強度差を演算し、その電界強度差と所定の閾値（後述する第二閾値Ｔ２）との比較結果に基づいて、ＡＭラジオ放送電波が検出されたか否かを判断する。
【００２６】
サーチ制御手段としてのサーチ制御部２８は、ＡＭラジオ放送電波のサーチ動作の終了処理を実行する。サーチ制御部２８は、メモリ２４に記憶されているサーチ周波数（サーチ周波数データ２９の値）を、分周回路３２に設定する。実際には、サーチ制御部２８は、メモリ２４に記憶されているサーチ周波数に対応する分周率を分周回路３２に設定する。
【００２７】
次に、以上の構成を有する実施の形態１に係るアナログラジオ放送受信装置１による受信サーチ動作を説明する。アナログラジオ放送受信装置１は、図示外のサーチボタンの操作に基づいて、受信サーチ動作を開始する。
【００２８】
図３は、図１のアナログラジオ放送受信装置１による受信サーチ動作の流れを示すフローチャートである。受信サーチ動作では、まず、サーチ周波数設定部２６が、最初のサーチ周波数を分周回路３２に設定する（ステップＳＴ１）。この最初のサーチ周波数は、たとえばアナログラジオ放送受信装置１が受信する周波数帯の最も低い周波数とすればよい。
【００２９】
局部発振回路１３の分周回路３２は、ＶＣＯ３１が生成する局発信号をその設定に応じた分周率で分周する。比較回路３４は、分周回路３２により分周された信号と発振回路３３が生成する発振信号とを比較し、それらの位相差に応じた波形の信号を出力する。ＬＰＦ３５は、この位相差に応じた波形の信号からレベル信号を生成する。ＶＣＯ３１は、このレベル信号のレベルに応じた周波数の局発信号を生成する。これにより、ＬＰＦ３５の出力レベルが安定した状態においては、ＶＣＯ３１は、発振信号を所定の分周率で分周した局発信号を生成する。
【００３０】
局部発振回路１３のＶＣＯ３１が生成した局発信号は、ミキサ回路１４へ供給される。ミキサ回路１４は、アンテナ１１で受信された高周波信号とこの局発信号とを混合し、中間周波数信号を生成する。この中間周波数信号は、ＩＦ増幅回路１５により増幅される。また、中間周波数測定回路２１は、このミキサ回路１４が生成した中間周波数信号の中間周波数を測定し、電界強度検出回路２２は、ＩＦ増幅回路１５により増幅された中間周波数信号から、受信した中間周波数成分の受信電界強度の強さを検出する。
【００３１】
分周回路３２に最初のサーチ周波数を設定した後、サーチ周波数設定部２６は、電界強度検出回路２２から供給される受信電界強度の強さが、所定の第一閾値Ｔ１以上であるか否かを判断する（ステップＳＴ２）。
【００３２】
図４は、ＡＭラジオ放送電波とＤＲＭラジオ放送電波との識別方法を示す説明図である。図４には、ＡＭラジオ放送電波とＤＲＭラジオ放送電波とがそれらのチューニング周波数において重なるように描画されている。図４に示すように、第一閾値Ｔ１は、ＤＲＭラジオ放送電波のチューニング周波数の受信電界強度より低く、且つ、ＡＭラジオ放送電波のチューニング周波数の受信電界強度より低く設定されている。
【００３３】
したがって、たとえば最初のサーチ周波数にラジオ放送電波が存在する場合、サーチ周波数設定部２６は、ステップＳＴ２において電界強度検出回路２２から供給される中間周波数成分の受信電界強度の強さが、所定の第一閾値Ｔ１以上であると判断する。逆に、最初のサーチ周波数にラジオ放送電波が存在しない場合、サーチ周波数設定部２６は、ステップＳＴ２において電界強度検出回路２２から供給される中間周波数成分の受信電界強度の強さが、所定の第一閾値Ｔ１以上ではないと判断する。
【００３４】
後者の場合（ステップＳＴ２においてＮｏの場合）、サーチ周波数設定部２６は、分周回路３２に次のサーチ周波数を設定し（ステップＳＴ１）、再び受信電界強度の強さが第一閾値Ｔ１以上であるか否かを判断する（ステップＳＴ２）。分周回路３２に設定される周波数が変化すると、高周波信号から中間周波数として抽出される周波数帯が変化する。したがって、電界強度検出回路２２および中間周波数測定回路２１の測定対象である中間周波数信号も変化する。また、サーチ周波数設定部２６は、ステップＳＴ２において受信電界強度の強さが第一閾値Ｔ１以上であると判断するまで、分周回路３２への次のサーチ周波数の設定処理（ステップＳＴ１）を繰り返す。
【００３５】
設定したサーチ周波数にラジオ放送電波が存在し、その結果として電界強度検出回路２２から供給される中間周波数成分の受信電界強度の強さが第一閾値Ｔ１以上であると判断すると、サーチ周波数設定部２６は、次に、そのときに中間周波数測定回路２１が測定している中間周波数が、たとえば分周回路３２に設定したサーチ周波数を基準として、所定の中間周波数公差（たとえばプラスマイナス１ｋＨｚ）以内であるか否かを判断する（ステップＳＴ３）。
【００３６】
測定された中間周波数が所定の公差以内でない場合（ステップＳＴ３においてＮｏの場合）、サーチ周波数設定部２６は、分周回路３２にさらに次のサーチ周波数を設定し（ステップＳＴ１）、その新たな設定の下での上述した２つの判断処理（ステップＳＴ２およびＳＴ３）を繰り返す。
【００３７】
測定された中間周波数が所定の公差以内である場合（ステップＳＴ３においてＹｅｓの場合）、サーチ周波数設定部２６は、そのとき設定しているサーチ周波数と、そのとき計測されている受信電界強度の強さとをメモリ２４に保存する。これにより、メモリ２４には、サーチ周波数データ２９および電界強度データ３０として、ラジオ放送電波が検出されたときのサーチ周波数と受信電界強度の強さとが記憶されることになる。
【００３８】
メモリ２４に新たなサーチ周波数データ２９および電界強度データ３０が記憶されると、オフセット周波数設定部２７は、メモリ２４からサーチ周波数データ２９を読み込み、その読み込んだサーチ周波数より所定の周波数（たとえば５ｋＨｚ）で高周波側にずれたオフセット周波数を、分周回路３２に設定する（ステップＳＴ４）。また、オフセット周波数設定部２７は、メモリ２４に記憶されている受信電界強度を基準として、その時に測定される中間周波数の受信電界強度の電界強度差が所定の第二閾値Ｔ２以上であるか否かを判断する（ステップＳＴ５）。
【００３９】
メモリ２４に記憶されるサーチ周波数がＡＭラジオ放送電波あるいはＤＲＭラジオ放送電波のチューニング周波数であるとき、この高周波側にずれたオフセット周波数によりその放送電波の高周波側の一部の信号成分が中間周波数信号として抽出される。たとえば、図４で言えば、チューニング周波数から５ｋＨｚ高周波側にずれた周波数成分が中間周波数成分として抽出されるようになる。この５ｋＨｚ高周波側にずれた周波数成分の受信電界強度は、チューニング周波数の受信電界強度と比較したとき、ＤＲＭラジオ放送電波の場合には殆ど低下していないが、ＡＭラジオ放送電波の場合には大きく低下している。第二閾値Ｔ２は、このＤＲＭラジオ放送電波でのチューニング周波数とその＋５ｋＨｚとにおいて生じ得る最大の電界強度差より大きく、且つ、ＡＭラジオ放送電波でのチューニング周波数とその＋５ｋＨｚとにおいて生じ得る最小の電界強度差より小さい値に設定されている。
【００４０】
したがって、オフセット周波数設定部２７は、メモリ２４に記憶されているサーチ周波数がＡＭラジオ放送電波のチューニング周波数である場合、ステップＳＴ５において電界強度差が所定の第二閾値Ｔ２以上であると判断し、メモリ２４に記憶されているサーチ周波数がＤＲＭラジオ放送電波のチューニング周波数である場合、電界強度差が所定の第二閾値Ｔ２以上でないと判断する。後者の判断の場合（ステップＳＴ５においてＮｏの場合）、サーチ周波数により受信したラジオ放送電波はＡＭラジオ放送電波ではないので、サーチ周波数設定部２６は、再びサーチ周波数の設定処理を開始する（ステップＳＴ１）。サーチ周波数設定部２６は、メモリ２４に記憶させたサーチ周波数の次のサーチ周波数を、分周回路３２に設定する。
【００４１】
高周波側のオフセット周波数での電界強度差が所定の第二閾値Ｔ２以上であると判断した場合（ステップＳＴ５においてＹｅｓの場合）、オフセット周波数設定部２７は、さらに、メモリ２４に記憶されているサーチ周波数より所定の周波数（たとえば５ｋＨｚ）で低周波側にずれたオフセット周波数を、分周回路３２に設定する（ステップＳＴ６）。また、オフセット周波数設定部２７は、メモリ２４に記憶されている受信電界強度を基準として、その時に測定される中間周波数の受信電界強度の電界強度差が所定の第二閾値Ｔ２以上であるか否かを判断する（ステップＳＴ７）。
【００４２】
メモリ２４に記憶されているサーチ周波数がＡＭラジオ放送電波のチューニング周波数である場合、オフセット周波数設定部２７は、このステップＳＴ７での二回目の判断においても電界強度差が所定の第二閾値Ｔ２以上であると判断し、それ以外の場合には、電界強度差が所定の第二閾値Ｔ２以上でないと判断する。後者の判断の場合（ステップＳＴ７においてＮｏの場合）、サーチ周波数により受信したラジオ放送電波はＡＭラジオ放送電波ではないので、サーチ周波数設定部２６は、再びサーチ周波数の設定処理を開始する（ステップＳＴ１）。サーチ周波数設定部２６は、メモリ２４に記憶させたサーチ周波数の次のサーチ周波数を、分周回路３２に設定する。
【００４３】
二回目の判断においても電界強度差が所定の第二閾値Ｔ２以上であるとオフセット周波数設定部２７が判断した場合（ステップＳＴ７においてＹｅｓの場合）、サーチ制御部２８は、メモリ２４からサーチ周波数データ２９を読み込み、その読み込んだサーチ周波数を分周回路３２に設定する（ステップＳＴ８）。
【００４４】
以上の一連のサーチ処理により、アナログラジオ放送受信装置１における１回の受信サーチ動作が終了する。この１回の受信サーチ動作が終了したとき、分周回路３２には、ＡＭラジオ放送電波のチューニング周波数が設定されている。そのため、ミキサ回路１４は、ＡＭラジオ放送電波のチューニング周波数を中間周波数とする中間周波数信号を生成する。
【００４５】
その結果、ＡＭ検波回路１６は、ＩＦ増幅回路１５から出力される中間周波数信号からＡＭラジオ放送電波に基づく音声帯域信号を復調し、低周波増幅回路１７は、その音声帯域信号を増幅し、スピーカ１８は、そのＡＭラジオ放送電波により放送される音声などを出力する。
【００４６】
以上のように、この実施の形態１のアナログラジオ放送受信装置１は、サーチ周波数設定部２６とオフセット周波数設定部２７とにより、ＡＭラジオ放送電波とＤＲＭラジオ放送電波とが混在するＡＭ周波数帯を複数のサーチ周波数によりサーチし、ＡＭ検波回路１６は、ＡＭラジオ放送電波がサーチされたときだけ復調をする。特に、サーチ周波数設定部２６およびオフセット周波数設定部２７は、局部発振回路１３に対して所定のサーチ周波数と所定のオフセット周波数とを設定し、オフセット周波数設定部２７は、それぞれの設定の下での中間周波数信号の受信電界強度差と第二の閾値Ｔ２とを比較することにより、受信放送電波がＡＭラジオ放送電波であるか否かを判断している。
【００４７】
したがって、この実施の形態１のアナログラジオ放送受信装置１では、ＤＲＭラジオ放送電波を受信し、それにより中間周波数信号の受信電界強度が所定の第一閾値Ｔ１以上となったとしても、そこでサーチがストップしてしまうことはない。その結果、ＡＭ検波回路１６がＤＲＭラジオ放送電波を復調した場合に発生する非常に大きなノイズ（信号）が、ＡＭ検波回路１６により復調されてしまわないようにすることができる。また、ＡＭ検波回路１６がＤＲＭラジオ放送電波を復調した場合に発生する非常に大きな音が再生されてしまうことはなく、ユーザに不快感を与えてしまうことがない。
【００４８】
また、この実施の形態１のアナログラジオ放送受信装置１では、受信したラジオ放送電波がＡＭラジオ放送電波であるかあるいはＤＲＭラジオ放送電波であるかを判断するために、受信する各電波の全体の電力やその一部の電力を演算する必要はない。そのため、このアナログラジオ放送受信装置１は、このような演算を必要とする場合に比べて、より迅速にその判断をすることができる。その結果、たとえば受信サーチなどのようにユーザが待機している状態において次々に受信可能な電波をサーチする場合において、ＡＭラジオ放送電波のみが存在する帯域をサーチする場合と比べて遜色ない速さにて、受信可能な電波を次々にサーチすることができる。
【００４９】
また、この実施の形態１では、ステップＳＴ３においてサーチ周波数設定部２６が中間周波数信号の中間周波数公差が所定値以内であるか否かを判断し、オフセット周波数設定部２７は、中間周波数公差が所定値以内である場合に、ミキサ回路１４に対してオフセット周波数を設定している。したがって、ミキサ回路１４により所望のサーチ周波数の中間周波数信号が生成されていないときに、オフセット周波数が設定されてしまったり、ＡＭ検波回路１６により復調がなされてしまったりすることを防止することができる。
【００５０】
また、この実施の形態１では、オフセット周波数設定部２７は、ステップＳＴ４およびＳＴ６において、サーチ周波数より高周波側にずれたオフセット周波数と、低周波側にずれたオフセット周波数とを設定し、サーチ制御部２８は、それら２つのオフセット周波数により得られる中間周波数信号の受信電界強度に基づく２つの電界強度差がともに所定の第二閾値Ｔ２以上である場合に、サーチ周波数設定部２６によるサーチを終了させてＡＭ検波回路１６により復調をさせ、それ以外の場合にはサーチ周波数設定部２６によるサーチを継続させる。したがって、２つのオフセット周波数における二重のチェックにより、ＡＭラジオ放送電波をＤＲＭラジオ放送電波から確実に識別することができる。仮にたとえばＤＲＭラジオ放送電波において１つのオフセット周波数成分がたまたま少なくなってしまっていたり、サーチ周波数がＤＲＭラジオ放送電波の占有帯域の端にあるような場合であっても、このＤＲＭラジオ放送電波を誤って復調してしまわないようにすることができる。
【００５１】
図５は、サーチ周波数がチューニング周波数ではなく、ＤＲＭラジオ放送電波の周波数帯の高周波側にある状況を説明する図である。図５では、高周波側のオフセット周波数においてＤＲＭラジオ放送電波がなくなっているため、ステップＳＴ５では、電界強度差が第二閾値Ｔ２以上であると判断してしまう。しかしながら、低周波側のオフセット周波数においてＤＲＭラジオ放送電波があるため、ステップＳＴ７では、電界強度差が第二閾値Ｔ２以上であると判断しない。オフセット周波数設定部２７は、ステップＳＴ７においてＮｏと判断する。その結果、サーチ制御部２８は、図５の状態の検波をしたときには、そのサーチ周波数においてサーチ処理を終了してしまうことはなく、ひいてはサーチ制御部２８がこのときのサーチ周波数を分周回路３２に設定してしまうことはない。
【００５２】
その結果、たとえばサーチする周波数帯においてＤＲＭラジオ放送電波とＡＭラジオ放送電波とが等間隔に整列しておらず、その結果、図５に示すような状況（チューニング周波数とはずれているサーチ周波数によるラジオ放送電波の検出）が生じたとしても、このアナログラジオ放送受信装置１では、図５のＤＲＭラジオ放送電波などを誤って復調することなく、ＡＭラジオ放送電波のみを適切にサーチして復調することができる。
【００５３】
実施の形態２．
図６は、本発明の実施の形態２に係るデジタルラジオ放送受信装置２を示すブロック図である。このデジタルラジオ放送受信装置２は、ＡＭラジオ放送電波とＤＲＭラジオ放送電波とが混在する周波数帯中のＤＲＭラジオ放送電波を受信するものである。
【００５４】
図６のデジタルラジオ放送受信装置２は、１つのチューナ部として、アンテナ１１、高周波増幅回路１２、局部発振回路１３、ミキサ回路１４、ＩＦ増幅回路１５、検波回路４１、低周波増幅回路１７、音声信号生成回路４２、スピーカ１８を有する。また、デジタルラジオ放送受信装置２は、中間周波数測定回路２１、電界強度検出回路２２、マイクロコンピュータ２３などを有する。マイクロコンピュータ２３には、サーチ周波数設定部２６、オフセット周波数設定部４３、サーチ制御部２８などの機能が実現される。
【００５５】
検波回路４１は、ＩＦ増幅回路１５により増幅された中間周波数信号から、ＤＲＭラジオ放送信号を復調する。音声信号生成回路４２は、低周波増幅器により増幅されたＤＲＭラジオ放送信号から音声信号を生成する。スピーカ１８は、音声信号生成回路４２により生成された音声信号に基づく音を出力する。
【００５６】
オフセット周波数設定手段としてのオフセット周波数設定部４３は、メモリ２４に記憶されているサーチ周波数を基準として、サーチ間隔より小さい所定の周波数（たとえば５ｋＨｚ）で高周波側にずれたオフセット周波数と、低周波側にずれたオフセット周波数とを、分周回路３２に設定する。実際には、オフセット周波数設定部４３は、各オフセット周波数に対応する分周率を分周回路３２に設定する。また、オフセット周波数設定部４３は、メモリ２４に記憶されている電界強度データ３０と電界強度検出回路２２が検出する２つの中間周波数成分の受信電界強度を用いて、設定した２つのオフセット周波数での電界強度差を演算し、その２つの電界強度差が共に所定の閾値（後述する第二閾値Ｔ２）以内である場合に、ＤＲＭラジオ放送電波が検出されたと判断する。
【００５７】
上述した以外の各構成要素は、図１に示すアナログラジオ放送受信装置１の同名の構成要素と同様の機能を有するものであり、実施の形態１と同一の符号を付してその説明を省略する。
【００５８】
図７は、図６のデジタルラジオ放送受信装置２による受信サーチ動作の流れを示すフローチャートである。受信サーチ動作では、まず、サーチ周波数設定部２６が、複数のサーチ周波数を分周回路３２に順番に設定し（ステップＳＴ１１）、それぞれのときの電界強度と中間周波数公差とに基づいて、ラジオ放送電波が受信されたか否かを判断する（ステップＳＴ１２およびＳＴ１３）。また、サーチ周波数設定部２６は、ラジオ放送電波を受信したと判断したときのサーチ周波数と電界強度とをメモリ２４に記憶させる。
【００５９】
サーチ周波数設定部２６によりラジオ放送電波が受信されたと判断されると、オフセット周波数設定部４３は、メモリ２４に記憶されるサーチ周波数（サーチ周波数データ２９の値）を基準として、そのサーチ周波数より所定の周波数（たとえば５ｋＨｚ）で高周波側にずれたオフセット周波数を、分周回路３２に設定する（ステップＳＴ１４）。また、オフセット周波数設定部４３は、メモリ２４に記憶されている受信電界強度（電界強度データ３０の値）を基準として、その時に測定される中間周波数の受信電界強度の電界強度差が所定の第二閾値Ｔ２以内であるか否かを判断する（ステップＳＴ１５）。
【００６０】
この高周波側のオフセット周波数での電界強度差が所定の第二閾値Ｔ２以内であると判断した場合、オフセット周波数設定部４３は、さらに、メモリ２４に記憶されているサーチ周波数より所定の周波数（たとえば５ｋＨｚ）で低周波側にずれたオフセット周波数を、分周回路３２に設定する（ステップＳＴ１６）。また、オフセット周波数設定部４３は、メモリ２４に記憶されている受信電界強度を基準として、その時に測定される中間周波数の受信電界強度の電界強度差が所定の第二閾値Ｔ２以内であるか否かを判断する（ステップＳＴ１７）。
【００６１】
メモリ２４に記憶されているサーチ周波数がＤＲＭラジオ放送電波のチューニング周波数である場合、オフセット周波数設定部４３は、ステップＳＴ１５およびＳＴ１７の二回の判断において共に電界強度差が所定の第二閾値Ｔ２以内であると判断し、それ以外の場合には、電界強度差が所定の第二閾値Ｔ２以内でないと判断する。後者の判断の場合、サーチ周波数により受信したラジオ放送電波はＤＲＭラジオ放送電波ではないので、サーチ周波数設定部２６は、再びサーチ周波数の設定処理を開始する（ステップＳＴ１１）。サーチ周波数設定部２６は、メモリ２４に記憶させたサーチ周波数の次のサーチ周波数を、分周回路３２に設定する。
【００６２】
ステップＳＴ１５およびＳＴ１７の二回の判断において共に電界強度差が所定の第二閾値Ｔ２以内であるとオフセット周波数設定部４３が判断した場合、サーチ制御部２８は、メモリ２４からサーチ周波数（サーチ周波数データ２９の値）を読み込み、その読み込んだサーチ周波数を分周回路３２に設定する（ステップＳＴ１８）。
【００６３】
以上の一連のサーチ処理により、デジタルラジオ放送受信装置２における１回の受信サーチ動作が終了する。この１回の受信サーチ動作が終了したとき、分周回路３２には、ＤＲＭラジオ放送電波のチューニング周波数が設定されている。そのため、ミキサ回路１４は、ＤＲＭラジオ放送電波のチューニング周波数を中間周波数とする中間周波数信号を生成する。
【００６４】
その結果、検波回路４１は、ＩＦ増幅回路１５から出力される中間周波数信号からＤＲＭラジオ放送信号を復調し、音声信号生成回路４２は、このＤＲＭラジオ放送信号から音声信号を生成し、スピーカ１８は、この音声信号に基づく音を出力する。
【００６５】
以上のように、この実施の形態２のデジタルラジオ放送受信装置２は、サーチ周波数設定部２６とオフセット周波数設定部４３とにより、ＡＭラジオ放送電波とＤＲＭラジオ放送電波とが混在するＡＭ周波数帯を複数のサーチ周波数によりサーチし、検波回路４１は、ＤＲＭラジオ放送電波がサーチされたときだけ復調をする。特に、サーチ周波数設定部２６およびオフセット周波数設定部４３は、局部発振回路１３に対して所定のサーチ周波数と所定のオフセット周波数とを設定し、オフセット周波数設定部４３は、ステップＳＴ１５およびＳＴ１７において、それぞれの設定の下での中間周波数信号の受信電界強度差と第二の閾値Ｔ２とを比較することにより、受信放送電波がＤＲＭラジオ放送電波であるか否かを判断している。
【００６６】
したがって、この実施の形態２のデジタルラジオ放送受信装置２では、ＡＭラジオ放送電波を受信し、それにより中間周波数信号の受信電界強度が所定の第一閾値Ｔ１以上となったとしても、そこでサーチがストップしてしまうことはない。
【００６７】
また、この実施の形態２のデジタルラジオ放送受信装置２では、受信したラジオ放送電波がＡＭラジオ放送電波であるかあるいはＤＲＭラジオ放送電波であるかを判断するために、受信する各電波の全体の電力やその一部の電力を演算する必要はない。そのため、このデジタルラジオ放送受信装置２は、このような演算を必要とする場合に比べて、より迅速にその判断をすることができる。その結果、たとえば受信サーチなどのようにユーザが待機している状態において次々に受信可能な電波をサーチする場合において、ＡＭラジオ放送電波のみが存在する帯域をサーチする場合と比べて遜色ない速さにて、受信可能な電波を次々にサーチすることができる。
【００６８】
また、この実施の形態２では、ステップＳＴ１３においてサーチ周波数設定部２６が中間周波数信号の中間周波数公差が所定値以内であるか否かを判断し、オフセット周波数設定部４３は、中間周波数公差が所定値以内である場合に、ミキサ回路１４に対してオフセット周波数を設定する。したがって、ミキサ回路１４により所望のサーチ周波数の中間周波数信号が生成されていないときに、オフセット周波数が設定されてしまったり、検波回路４１により復調がなされてしまったりすることを防止することができる。
【００６９】
また、この実施の形態２では、オフセット周波数設定部４３は、サーチ周波数より高周波側にずれたオフセット周波数と、低周波側にずれたオフセット周波数とを設定し、サーチ制御部２８は、それら２つのオフセット周波数により得られる中間周波数信号の受信電界強度に基づく２つの電界強度差がともに所定の第二閾値Ｔ２以内である場合に、サーチ周波数設定部２６によるサーチを終了させて検波回路４１により復調をさせ、それ以外の場合にはサーチ周波数設定部２６によるサーチを継続させる。したがって、２つのオフセット周波数における二重のチェックにより、ＤＲＭラジオ放送電波をＡＭラジオ放送電波から確実に識別することができる。その結果、たとえばサーチする周波数帯においてＤＲＭラジオ放送電波とＡＭラジオ放送電波とが等間隔に整列していない場合であっても、ＡＭラジオ放送電波などを誤って復調することなく、また、サーチ周波数がチューニング周波数からずれている状態においてＤＲＭラジオ放送電波を復調し難くなり、ＤＲＭラジオ放送電波のみを適切に復調することができる。
【００７０】
以上の各実施の形態は、本発明の好適な実施の形態の例であるが、本発明は、これに限定されるものではなく、発明の要旨を逸脱しない範囲において種々の変形や変更が可能である。
【００７１】
上記各実施形態では、オフセット周波数は、サーチ周波数のプラスマイナス５ｋＨｚに設定されている。この他にも、オフセット周波数は、たとえば中間周波数公差以上であって、且つ、サーチ間隔以下であればよい。ただし、ＡＭラジオ放送電波が山形の法絡線となったり、ＤＲＭラジオ放送電波の法絡線が台形化したりする可能性を考慮して、それらを好適に判別するために、オフセット周波数は、サーチ周波数の４０％以上且つ６０％以下の範囲内の所定の周波数ずれたものとするのが望ましい。
【００７２】
上記各実施の形態では、アナログラジオ放送受信装置１およびデジタルラジオ放送受信装置２は、１つのチューナ部を有する。この他にもたとえば、アナログラジオ放送受信装置１およびデジタルラジオ放送受信装置２は、２つあるいはそれ以上のチューナ部を有するものであってもよい。
【００７３】
図８は、２つのチューナ部を有するアナログラジオ放送受信装置３の変形例を示すブロック図である。このアナログラジオ放送受信装置３は、アンテナ１１、高周波増幅回路１２、局部発振回路１３、ミキサ回路１４、ＩＦ増幅回路１５、ＡＭ検波回路１６、低周波増幅回路１７、スピーカ１８、中間周波数測定回路２１、および電界強度検出回路２２からなる第一チューナ部５１と、アンテナ６１、高周波増幅回路６２、他の生成手段の一部としての局部発振回路６３、他の生成手段の一部としてのミキサ回路６４、ＩＦ増幅回路６５、および電界強度検出回路６６からなる第二チューナ部５２と、を有する。
【００７４】
また、マイクロコンピュータ２３には、サーチ周波数設定手段および中間周波数判断手段としてのサーチ周波数設定部５３、オフセット周波数設定手段としてのオフセット周波数設定部５４、サーチ制御手段としてのサーチ制御部５５などの機能が実現される。なお、各構成要素は、図１に示す実施の形態１の同名の構成要素と同様の機能を有するものであり、その説明を省略する。
【００７５】
図９は、図８の変形例のアナログラジオ放送受信装置３による受信サーチ動作の流れを示すフローチャートである。この変形例の場合、サーチ周波数設定部５３は、ラジオ放送電波を受信した（ステップＳＴ２３においてＹｅｓ）と判断するまで、サーチ周波数を第一チューナ部５１の局部発振回路１３に設定し（ステップＳＴ２１）、サーチ周波数データ２９のみをメモリ２４に記憶させる。また、オフセット周波数設定部５４は、第二チューナ部５２の局部発振回路６３に、メモリ２４に記憶されるサーチ周波数（サーチ周波数データ２９の値）を基準とした高周波側のオフセット周波数と低周波側のオフセット周波数とを設定し（ステップＳＴ２４およびＳＴ２６）、第一チューナ部５１の電界強度検出回路２２により検出されているサーチ周波数での電界強度と、第二チューナ部５２の電界強度検出回路６６により検出されているオフセット周波数での電界強度との電界強度差を、第二閾値Ｔ２と比較している（ステップＳＴ２５およびＳＴ２７）。そして、この２回の電界強度差の判断において共に電界強度差が第二閾値Ｔ２以上であるとオフセット周波数設定部５４により判断されると、サーチ制御部２８は、サーチ周波数設定部５３およびオフセット周波数設定部５４によるサーチ処理を終了させる。
【００７６】
したがって、図８および図９に示す変形例のアナログラジオ放送受信装置３では、メモリ２４に電界強度データ３０を記憶させたり、サーチ終了時にサーチ制御部２８によりメモリ２４に記憶されているサーチ周波数を設定させたりする必要はない。この変形例のアナログラジオ放送受信装置３では、図１のアナログラジオ放送受信装置１のように局部発振回路１３の分周回路３２に対する設定周波数をオフセット周波数からサーチ周波数へ戻す処理をすることなく、ＡＭ検波回路１６による復調処理を開始することができる。サーチ処理を終えたら直ちに復調を開始させることができる。
【００７７】
上記各実施の形態では、中間周波数測定回路２１および電界強度検出回路２２，６６は、電子回路により実現されている。この他にもたとえば、中間周波数測定回路２１および電界強度検出回路２２，６６の中の少なくとも１つは、マイクロコンピュータ２３のメモリ２４に記憶される図示外のプログラムをＣＰＵが実行することにより、マイクロコンピュータ２３において実現されるようにしてもよい。
【００７８】
なお、このマイクロコンピュータ２３のメモリ２４に記憶される図示外のプログラムは、アナログラジオ放送受信装置１，３やデジタルラジオ放送受信装置２の出荷前にメモリ２４に記憶されたものであっても、アナログラジオ放送受信装置１，３やデジタルラジオ放送受信装置２の出荷後にメモリ２４に記憶されたものであってもよい。また、プログラムの一部が、アナログラジオ放送受信装置１，３やデジタルラジオ放送受信装置２の出荷後に記憶されたものであってもよい。このように出荷後にメモリ２４に記憶されるプログラムは、たとえばＣＤ−ＲＯＭ（Ｃｏｍｐａｃｔ  Ｄｉｓｃ  Ｒｅａｄ  Ｏｎｌｙ  Ｍｅｍｏｒｙ）や半導体メモリなどのコンピュータ読取可能な記録媒体に記憶されているものをインストールしたものであっても、インターネットなどの伝送媒体を介してサーバ装置などからダウンロードしたものであってもよい。
【００７９】
上記各実施の形態では、ＡＭラジオ放送電波とＤＲＭラジオ放送電波とを区別している。この他にも、アナログラジオ放送電波には、ＦＭ（Ｆｒｅｑｕｅｎｃｙ  Ｍｏｄｕｒａｔｉｏｎ）ラジオ放送電波などがある。ＦＭラジオ放送電波は、チューニング周波数の上下に分かれた２つの山形状の包絡線の電界強度分布などを有する。また、デジタルラジオ放送電波には、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）−ＳＢ方式のデジタル放送電波、ＤＡＢ（Ｄｉｇｉｔａｌ  Ａｕｄｉｏ  Ｂｒｏａｄｃａｓｔ）方式のデジタル放送電波、ＩＢＯＣ（Ｉｎ−ｂａｎｄ  ｏｎ−ｃｈａｎｎｅｌ）方式のデジタル放送電波などがある。これらのデジタル放送電波は、ＤＲＭラジオ放送電波と同様の略矩形の包絡線の電界強度分布などを有する。
【００８０】
そして、本発明のアナログラジオ放送受信装置１，３やデジタルラジオ放送受信装置２は、これらの中から選択されたアナログラジオ放送電波とこれらの中から選択されたデジタルラジオ放送電波とを識別し、所定のラジオ放送電波を受信するものであってもよい。さらに他にもたとえば、ラジオ放送受信装置は、アナログ放送電波およびデジタル放送電波をサーチにおいて識別し、その識別に応じてアナログ放送電波およびデジタル放送電波を受信するものであってもよい。
【００８１】
また、本発明は、たとえば短波帯、長波帯などのＡＭ帯（中波帯）以外のラジオ放送帯域をサーチして受信するラジオ放送受信装置や、ＶＨＦ（Ｖｅｒｙ  Ｈｉｇｈ  Ｆｒｅｑｕｅｎｃｙ）帯やＵＨＦ（Ｕｌｔｒａ  Ｈｉｇｈ  Ｆｒｅｑｕｅｎｃｙ）帯のテレビジョン放送帯をサーチして受信するテレビジョン放送受信装置などにおいても、アナログ放送電波とデジタルラジオ放送電波とを識別して所望の方式の電波を受信するために利用することができる。
【産業上の利用可能性】
【００８２】
本発明は、デジタル放送電波とアナログ放送電波とが混在する帯域を受信サーチする場合に好適に利用することができる。
【図面の簡単な説明】
【００８３】
【図１】図１は、本発明の実施の形態１に係るアナログラジオ放送受信装置を示すブロック図である。
【図２】図２は、ＡＭ方式で変調されたアナログラジオ放送電波と、たとえばＤＲＭ方式のデジタルラジオ放送電波とが混在するＡＭ周波数帯の一例を示す説明図である。
【図３】図３は、図１のアナログラジオ放送受信装置による受信サーチ動作の流れを示すフローチャートである。
【図４】図４は、ＡＭラジオ放送電波とＤＲＭラジオ放送電波との識別方法を示す説明図である。
【図５】図５は、サーチ周波数がチューニング周波数ではなく、ＤＲＭラジオ放送電波の周波数帯の高周波側にある状況を説明する図である。
【図６】図６は、本発明の実施の形態２に係るデジタルラジオ放送受信装置を示すブロック図である。
【図７】図７は、図６のデジタルラジオ放送受信装置による受信サーチ動作の流れを示すフローチャートである。
【図８】図８は、２つのチューナ部を有するアナログラジオ放送受信装置の変形例を示すブロック図である。
【図９】図９は、図８の変形例のアナログラジオ放送受信装置による受信サーチ動作の流れを示すフローチャートである。
【符号の説明】
【００８４】
１，３  アナログラジオ放送受信装置（アナログ放送受信装置）
２  デジタルラジオ放送受信装置（デジタル放送受信装置）
１３  局部発振回路（生成手段の一部）
１４  ミキサ回路（生成手段の一部）
１６  ＡＭ検波回路（復調手段）
２６，５３  サーチ周波数設定部（サーチ周波数設定手段、中間周波数判断手段）
２７，４３，５４  オフセット周波数設定部（オフセット周波数設定手段）
２８，５５  サーチ制御部（サーチ制御手段）
６３  局部発振回路（他の生成手段の一部）
６４  ミキサ回路（他の生成手段の一部）
【図１】
2008227901.tif 000003
【図２】
2008227901.tif 000004
【図３】
2008227901.tif 000005
【図４】
2008227901.tif 000006
【図５】
2008227901.tif 000007
【図６】
2008227901.tif 000008
【図７】
2008227901.tif 000009
【図８】
2008227901.tif 000010
【図９】
2008227901.tif 000011